(57)【要約】【課題】部品点数の削減とともに施工時における作業負荷の軽減を図ることができる建物の床パネル構造を提供する。【解決手段】建物１０の一階部分１１と二階部分１２とを区画する階間部分１７には、床パネル２０が設けられている。床パネル２０は、床枠組２１と床下地材２２とを備えて構成されている。床枠組２１は、側根太２４と端根太２５とが枠状に連結された外周枠を備えている。相対する端根太２５間には、床根太２６が互いに平行に複数架け渡されている。各床根太２６の下面には、長尺状の連結材３０が各床根太２６と格子状を形成するように複数設けられている。各連結材３０は、各床根太２６との交差部においてそれぞれ各床根太２６と連結されている。連結材３０には、一階部分１１の天井材４４が緩衝材４３を介して下方からビス４６により打ち付けられている。【選択図】図１
2010065418.tif 000002
【特許請求の範囲】
【請求項１】
上下に隣接する上階部と下階部とを有してなる建物の上下階間を仕切る建物の床パネル構造であって、
上階部の床面材と、当該床面材の下方にて横並びに配置されるとともに当該床面材を支持する複数の床根太とを含んでユニット化された床パネルと、
前記各床根太の下方にて当該各床根太に連結される複数の連結材と、
を備え、
前記各連結材には、当該各連結材の下方において下階部の天井面材が取り付けられることを特徴とする建物の床パネル構造。
【請求項２】
前記床根太は、形鋼により形成されており、
前記連結材は、当該床根太よりも肉薄の金属材料により形成されていることを特徴とする請求項１に記載の建物の床パネル構造。
【請求項３】
前記連結材は、前記床根太から前記天井面材へ伝達される衝撃を緩和する緩衝部を備えていることを特徴とする請求項１又は２に記載の建物の床パネル構造。
【請求項４】
前記床根太に対して取り付けられる上板部と、
前記天井面材が取り付けられる下板部と、
前記上板部と前記下板部とを繋ぐ中間板部と、
を備えており、
前記中間板部は、上下方向とは異なる方向の成分を少なくとも一部に有しており、
前記緩衝部は、前記中間板部を含んで構成されていることを特徴とする請求項３に記載の建物の床パネル構造。
【請求項５】
前記連結材と前記天井面材との間には、緩衝材が介在されていることを特徴とする請求項１乃至４のいずれか１項に記載の建物の床パネル構造。
【請求項６】
前記床パネルは、前記各床根太を囲むように設けられ前記各床根太が固定されるとともに前記床面材を前記各床根太とともに下方から支持する外周枠をさらに含んでユニット化されており、
前記外周枠は、木材により形成されていることを特徴とする請求項１乃至５のいずれか１項に記載の建物の床パネル構造。
【請求項７】
前記床パネルは、前記各連結材をさらに含んでユニット化されていることを特徴とする請求項１乃至６のいずれか１項に記載の建物の床パネル構造。
【発明の詳細な説明】
【技術分野】
【０００１】
本発明は、上下に隣接する上階部と下階部とを有してなる建物の上下階間を仕切る建物の床パネル構造に関する。
【背景技術】
【０００２】
上下に隣接する上階部と下階部とを有する建物では、上階部と下階部とを区画する階間部分において上階部の床構造が形成されている。上階部の床構造としては、複数の外枠材により枠状に形成された外周枠と相対する外枠材の間に互いに平行に架け渡された複数の床根太とから構成される床枠組の上方に床下地材や床仕上材等の床面材が敷設されたものがよく用いられている。
【０００３】
このような床構造においては、各床根太の転倒防止及び振れ防止のために転び止めが設けられているのが一般的である。この種の転び止めとしては、例えば、隣り合う床根太同士の間及び隣り合う床根太と外枠材との間に複数架け渡されたものが知られている。これによれば、床根太の側面及び外枠材の内側面に溶接されたガセットプレートの挿し込み溝に転び止めが挿し込まれ、その挿し込み状態においてガセットプレートに対し釘打ち固定されるため、床根太の転倒及び振れを効果的に防止することができる（例えば、特許文献１）。
【特許文献１】特許第３９４０６２１号公報
【発明の開示】
【発明が解決しようとする課題】
【０００４】
しかしながら、上記特許文献１の床構造は、各床根太間及び各床根太・外枠材間にそれぞれ転び止めを配置する構造であるため、転び止めの点数が多くなる問題がある。また、転び止めの点数の増大に伴い、床構造の組み付け作業における作業負荷の増大も懸念される。
【０００５】
ところで、上記特許文献１の床構造では、床剛性を向上させるために床根太が板厚の大きいＣ形鋼（リップ溝形鋼）により形成されており、床構造の最下部となる床根太下部のフランジ部に対して直接下階部の天井面材をビスにより打ち付けることができない。そのため、下階部の天井面材を取り付ける際には、まず床根太に対して野縁等の天井下地材を取り付け、その後天井下地材に天井面材を取り付ける必要があった。その点を鑑みると、下階の天井面材等を含めた階間部分の構造について部品点数削減の余地があると考えられ、また施工作業における作業性の面からも同様に改善の余地があると考えられる。
【０００６】
本発明は、上記事情に鑑みてなされたものであり、部品点数の削減とともに施工時における作業負荷の軽減を図ることができる建物の床パネル構造を提供することを主たる目的とするものである。
【課題を解決するための手段】
【０００７】
上記課題を解決すべく、第１の発明の建物の床パネル構造は、上下に隣接する上階部と下階部とを有してなる建物の上下階間を仕切る建物の床パネル構造であって、上階部の床面材と、当該床面材の下方にて横並びに配置されるとともに当該床面材を支持する複数の床根太とを含んでユニット化された床パネルと、前記各床根太の下方にて当該各床根太に連結される複数の連結材と、を備え、前記各連結材には、当該各連結材の下方において下階部の天井面材が取り付けられることを特徴とする。
【０００８】
本発明によれば、床パネルが上階部の床面材と、床面材を下方から支持する複数の床根太とを含んでユニット化されているため、ユニット工場において予め製造することが可能となっている。したがって、施工時における作業負荷を軽減させることができる。
【０００９】
また、各床根太の下方にて連結材が各床根太に連結されるため、各床根太の転倒防止及び振れ防止を図ることができる。すなわち、連結材を床根太の転び止めとして機能させることができる。そして、このように連結材により各床根太と連結させる転び止め構造としたため、転び止めとしての連結材の点数を上記特許文献１の転び止めの点数よりも少なくすることができるとともにそれに伴い施工時における作業負荷の軽減を図ることもできる。
【００１０】
なお、ここで連結材は床根太の並び方向における両端部が建物の壁に当接されているのが好ましい。この場合、連結材は床根太の並び方向への移動が壁により規制されるため各床根太の転倒及び振れをより一層防止することが期待できる。
【００１１】
さらに、下階部の天井面材が連結材に対して取り付けられるため、連結材を転び止めとしてだけではなく天井下地材としても機能させることができる。これにより、下階部の天井面材を取り付けるために野縁等の天井下地材を設ける必要がなくなるため、部品点数の削減とともに施工時における作業負荷の軽減を図ることができる。
【００１２】
第２の発明の建物の床パネル構造は、第１の発明において、前記床根太は、形鋼により形成されており、前記連結材は、当該床根太よりも肉薄の金属材料により形成されていることを特徴とする。
【００１３】
床根太を形鋼により形成する場合、剛性確保のために比較的肉厚の大きなもので形成するのが一般的である。しかしながら、この場合、床根太をビス等により打ち抜くことが難しいため、下階部の天井面材を床根太の下方に取り付けるとしても天井面材をビス等により床根太に直接打ち付けることができない。また、床根太に天井面材をビス等により直接打ち付けるために床根太の肉厚を小さくすれば、床根太の剛性を確保するのが難しくなる。その点、本発明によれば、連結材が床根太よりも肉薄の金属材料により形成されているためビス等により連結材を打ち抜くことが可能となっている。これにより、天井面材を連結材に対してビス等により直接打ち付けることができるため、床根太の剛性を確保しつつ施工作業の容易化が図れる。
【００１４】
第３の発明の建物の床パネル構造は、第１又は第２の発明において、前記連結材は、前記床根太から前記天井面材へ伝達される衝撃を緩和する緩衝部を備えていることを特徴とする。
【００１５】
本発明によれば、床根太から連結材を介して天井面材へ伝達される衝撃が緩衝部により緩和される。これにより、上階部において居住者の歩行等により発生した衝撃が床根太や連結材等を介して下階部の天井面材へ伝達されるのを抑制することができる。
【００１６】
第４の発明の建物の床パネル構造は、第３の発明において、前記床根太に対して取り付けられる上板部と、前記天井面材が取り付けられる下板部と、前記上板部と前記下板部とを繋ぐ中間板部と、を備えており、前記中間板部は、上下方向とは異なる方向の成分を少なくとも一部に有しており、前記緩衝部は、前記中間板部を含んで構成されていることを特徴とする。
【００１７】
本発明によれば、連結材は上板部が床根太に対して取り付けられ、下板部に天井面材が取り付けられている。上板部と下板部との間を繋ぐ中間板部は、上下方向とは異なる方向の成分を少なくとも一部に有している。つまり、中間板部は、上下方向に対して傾斜された傾斜部や湾曲形成された湾曲部等を少なくとも一部に有している。したがって、床根太から連結材に対して衝撃が伝えられた場合には連結材は中間板部において傾斜部がその傾きを変えるように変形したり湾曲部が上下方向に伸び縮みするように変形したりすることでその衝撃を吸収することができるようになっている。つまり、連結材において中間板部はダンパとして機能される。これにより、床根太から連結材を介して天井面材へ伝達される衝撃がこの中間板部を含んで構成される緩衝部により緩和される。したがって、上階部において居住者の歩行等により発生した衝撃が床根太や連結材等を介して下階部の天井面材へ伝達されるのを抑制することができる。なお、この場合、中間板部全体を傾斜板状に形成すれば、簡素な構成により本発明の効果を得ることができる。
【００１８】
さらに、連結材には、下板部の幅方向先端部から上板部の高さ位置よりも低い高さ位置まで上方に延びる立ち上がり部と、その立ち上がり部の上端部から床根太の下面と平行に延びる規制板部とを備えるのが望ましい。天井面材を連結材の下板部にビス等により取り付ける際には連結材の下板部が上方に撓むことが想定されるが、このような構成とすれば連結材の下板部が所定の位置まで撓むと規制板部が床根太の下面に当接されてそれ以上の撓みが規制される。これにより、天井面材の取り付け施工時に施工作業が困難となることを回避することができる。
【００１９】
第５の発明の建物の床パネル構造は、第１乃至第４のいずれかの発明において、前記連結材と前記天井面材との間には、緩衝材が介在されていることを特徴とする。
【００２０】
本発明によれば、連結材と天井面材との間に緩衝材が介在されているため、連結材から天井面材へ伝達される衝撃が緩和される。したがって、上階部において居住者の歩行等により発生した衝撃が床根太や連結材等を介して下階部の天井面材へ伝達されるのを抑制することができる。
【００２１】
また、かかる効果は、床根太と連結材との間に緩衝材を介在させた場合にも同様に得られるが、この場合、床根太と連結材との連結強度が低下して連結材の転び止めとしての機能が低下するおそれがある。その点、本発明のように連結材と天井面材との間に緩衝材を介在させる構成とすれば、連結材の転び止めとしての機能を低下させることなく上記の効果を得ることができる利点がある。
【００２２】
なお、連結材が緩衝部を備えている場合においては、上階部で発生した衝撃が下階部の天井面材へ伝達されるのをより一層抑制することができる。
【００２３】
第６の発明の建物の床パネル構造は、第１乃至第５のいずれかの発明において、前記床パネルは、前記各床根太を囲むように設けられ前記各床根太が固定されるとともに前記床面材を前記各床根太とともに下方から支持する外周枠をさらに含んでユニット化されており、前記外周枠は、木材により形成されていることを特徴とする。
【００２４】
本発明によれば、床パネルが各床根太を囲むように設けられた外周枠をさらに含んでユニット化されているため、施工時における作業負荷をより一層軽減させることができる。また、外周枠が木材により形成されているため、外周枠が建物の屋外面を形成する外壁パネルの裏面に当接又は近接した位置に配置されている場合においても外周枠が熱橋（ヒートブリッジ）となるおそれはない。そのため、ヒートブリッジ対策としての断熱材を不要とすることができる。
【００２５】
第７の発明の建物の床パネル構造は、第１乃至第６のいずれかの発明において、前記床パネルは、前記各連結材をさらに含んでユニット化されていることを特徴とする。
【００２６】
本発明によれば、床パネルが各連結材を含んでユニット化されているため、施工時における作業負荷をより一層軽減させることができる。
【発明を実施するための最良の形態】
【００２７】
以下に、一実施の形態について図面を参照しつつ説明する。図１は建物における階間部分周辺の構成を示す縦断面図、図２は床パネルの構成を示す斜視図、図３は床根太と連結材との連結構成を示す分解斜視図、図４は連結材の構成を示す縦断面図である。図５は配線まとめを示す縦断面図であり、（ａ）が床根太による配線まとめを示す図、（ｂ）が連結材による配線まとめを示す図である。
【００２８】
図１に示すように、本実施形態における建物１０は、上階部としての一階部分１１と下階部としての二階部分１２とを有してなる二階建ての建物である。建物１０の一階部分１１及び二階部分１２には、屋外面を形成する外壁パネル１３，１４がそれぞれ設置されており、外壁パネル１３，１４の屋内側に屋内面を形成する内壁材１５，１６がそれぞれ設置されている。
【００２９】
外壁パネル１３，１４は、いずれも屋外面を形成する外壁板３１，３２と、外壁板３１，３２の裏面側（屋内面側）に固定されたフレーム３３，３４とを備えて構成されている。外壁板３２は、例えば耐候性に優れたコンクリートやセラミック等の素材で形成されている。フレーム３３，３４は、例えばスチール等の高剛性金属からなり、略コ字状断面を有する長尺状のフレーム材が矩形枠状に連結されることにより形成されている。
【００３０】
一階部分１１と二階部分１２とは、階間部分１７によって区画されている。階間部分１７は、一階天井面及び二階床面、それらの間にある各部材によって構成されている。この階間部分１７には、二階部分１２の床部を構成する床パネル２０が設けられている。
【００３１】
床パネル２０は、図２に示すように、床パネル２０の土台を構成する床枠組２１と当該床枠組２１上に敷設される床下地材２２とを備えて構成されている。床枠組２１は一対の側根太２４と一対の端根太２５とを備えており、これらの各根太２４，２５が枠状に連結されることにより外周枠が形成されている。側根太２４と端根太２５とは、共に集成材等の角材よりなり、その高さ寸法がほぼ同一とされている。ちなみに、床枠組２１の外周枠において側根太２４が長辺部を端根太２５が短辺部を構成している。
【００３２】
床枠組２１は、さらにＣ形鋼（リップ溝形鋼）よりなる床根太２６を複数備えている。床根太２６は、図３及び図４に示すように板面が立てられた状態で配置されるベース片２６ａと、その上下両端が同一方向へ折り曲げられて互いに平行に延びる上片２６ｂ及び下片２６ｃと、それら上片２６ｂ及び下片２６ｃの先端部が互いに向き合う側にそれぞれ折り曲げられてなる上リップ２６ｄ及び下リップ２６ｅとを有する。ベース片２６ａ、下片２６ｃ及び下リップ２６ｅにより囲まれた内側領域は収納溝２９となっており、図５（ａ）に示すように、階間部分１７に配設された配線Ｓをこの収納溝２９に通すことが可能となっている。
【００３３】
図２の説明に戻り、これら各床根太２６は、相対する端根太２５の間に所定間隔をおいて互いに平行に複数架け渡されている。各端根太２５の内側面（相対する面）には床根太２６を支持する根太受け２７が複数取り付けられている。根太受け２７は、上下方向に延びる横断面略コ字状の挿入溝を有してなる板状部材であり、その挿入溝の溝幅が床根太２６（上片２６ｂ及び下片２６ｃ）の幅寸法とほぼ同一寸法に設定されている。各根太受け２７は、挿入溝のコ字状開口部を内側に向けた状態で端根太２５の延びる方向に沿って所定の間隔をおいて各端根太２５の内側面に取り付けられている。各端根太２５の内側面にそれぞれ取り付けられた各根太受け２７は互いの挿入溝が相対する位置にそれぞれ設けられている。そして、各床根太２６の長手方向両端部が根太受け２７の挿入溝に挿入されることにより各床根太２６は端根太２５間に架け渡され、その架け渡された状態で根太受け２７に対し釘等により固定されている。
【００３４】
床枠組２１を構成する各根太２４〜２６の上面はほぼ同じ高さとなっており、これらの上面に床下地材２２が敷設されている。床下地材２２は、例えば合板やパーティクルボード等の板材からなる。床下地材２２は、床枠組２１上に複数枚（図２では５枚）敷設されている（各床下地材２２の幅寸法及び奥行き寸法は同一でなくてもよい。）。各床下地材２２は、床枠組２１上において床枠組２１の幅方向及び奥行き方向全域に渡って隙間なく敷設されており、それぞれ床枠組２１上面に対して釘等により固定されている。
【００３５】
以上のように構成された本実施形態の床パネル２０はユニット化されており、ユニット工場においてあらかじめ製造されるようになっている。これにより、施工時における作業負担の軽減を図ることができる。
【００３６】
図１の説明に戻り、床パネル２０において床枠組２１の外周枠を構成している側根太２４及び端根太２５の下面にはそれぞれ頭つなぎ３５が取り付けられている。頭つなぎ３５は木製角材よりなる長尺状部材であり、各根太２４，２５の長手方向に沿って取り付けられている。
【００３７】
床パネル２０は、この頭つなぎ３５が取り付けられた状態において下階外壁パネル１３の上端部に載置されている。詳しくは、下階外壁パネル１３の下階フレーム３３を構成する各フレーム材のうち下階外壁板３１の上端部においてコ字状開口部を下側に向けて設けられている上端フレーム材３３ａの上面に頭つなぎ３５が載置されている。そして、頭つなぎ３５は、上端フレーム材３３ａに対して釘等により固定されている。これにより、床パネル２０は、頭つなぎ３５を介して下階外壁パネル１３に固定されている。
【００３８】
床パネル２０（詳細には床下地材２２）上には端縁部に沿って上階外壁パネル１４が設置されている。詳しくは、上階外壁パネル１４の上階フレーム３４を構成する各フレーム材のうち最下部に配置されたフレーム材（以下、下端フレーム材３４ａという）がコ字状開口部を上側に向けて、床パネル２０上の上記外周枠（側根太２４及び端根太２５）の上方位置に設置されている。これにより、上階外壁パネル１４の荷重の大部分が圧縮性能に優れた側根太２４及び端根太２５に作用するようになっている。したがって、一般に重量物となることが想定される上階外壁パネル１４を床パネル２０上に安定して設置することが可能となっている。また、床パネル２０上には上階外壁パネル１４の屋内側に内壁材１６が立設されており、内壁材１６により囲まれた内側領域全域に床仕上げ材３６が敷設されている。
【００３９】
ところで、本実施形態では、床パネル２０の下方に各床根太２６の転び止めとしての連結材３０が設けられている点に特徴を有する。以下、この連結材３０周辺の構成について図３乃至図４に基づいて説明する。
【００４０】
図３乃至図４に示すように、床パネル２０の下方には、各床根太２６を連結する連結材３０が設けられている。連結材３０は、床根太２６よりも板厚の小さい軽量鋼等からなる板状部材であり（例えば床根太２６の板厚が１．２ｍｍ、連結材３０の板厚が０．５ｍｍに設定されている。）、長尺状に形成されている。連結材３０は、床根太２６の長手方向に対して直交する方向に延びかつ床根太２６の下端面（下片２６ｃの下面）に当接されている上側水平板部３０ａと、上側水平板部３０ａの幅方向両端部が斜め下向きに折り曲げられて形成された一対の傾斜板部３０ｂとを有している。詳細には、各傾斜板部３０ｂは、上側水平板部３０ａから離間する側に向かって下方傾斜されるように形成されており、各傾斜板部３０ｂの先端部（すなわち下端部）が同じ高さ位置とされている。また、連結材３０は、各傾斜板部３０ｂの先端部が互いに離間する側にそれぞれ折り曲げられて形成された一対の下側水平板部３０ｃと、各下側水平板部３０ｃの先端部が上方に折り曲げられて形成された一対の垂直板部３０ｄと、各垂直板部３０ｄの先端部が上側水平板部３０ａよりも低い位置で互いに向き合う側に折り曲げられて形成された一対の規制板部３０ｅとを有している。したがって、各下側水平板部３０ｃは同一高さに形成されており、また規制板部３０ｅと床根太２６の下端面との間には所定の隙間が形成されている。また、下側水平板部３０ｃ、垂直板部３０ｄ及び規制板部３０ｅにより囲まれた内側領域は収納溝３９となっており、図５（ｂ）に示すように、階間部分１７に配設された配線Ｓをこの収納溝３９に通すことが可能となっている。
【００４１】
連結材３０は、床根太２６の下方において床根太２６と直交する向きで所定間隔をおいて複数並設されている。すなわち、各連結材３０は、各床根太２６とともに格子状を形成するように配置されている。ここで、連結材３０間の距離は、床根太２６間の距離とほぼ同一となっている。また、各連結材３０は、それぞれ長手方向両端部が頭つなぎ３５の内側面に当接されている。
【００４２】
各連結材３０は、それぞれ各床根太２６との交差部において床根太２６と連結されている。両部材２３，３０の各交差部における床根太２６の下片２６ｃの上面側には固定手段を構成するウェルドナット４１が固定されている。それに対して、連結材３０の上側水平板部３０ａには、そのウェルドナット４１と対峙する位置に上下方向に貫通する貫通孔３０ｆが形成されている。そして、連結材３０の下側より固定手段を構成するボルト４２が連結材３０の貫通孔３０ｆを介してウェルドナット４１に締結されている。これにより、各連結材３０はそれぞれ各床根太２６に対して連結されている。
【００４３】
連結材３０の各下側水平板部３０ｃの下面には、防振性を有する緩衝材４３が設けられている。緩衝材４３は、ゴム材等からなり、長尺状かつ板状に形成されている。緩衝材４３は、下側水平板部３０ｃの延びる方向に沿って下側水平板部３０ｃの下面に接着剤等により貼り付けられている。
【００４４】
緩衝材４３の下面には、一階部分１１の天井材４４が設けられている。天井材４４は、緩衝材４３を介して連結材３０の下側水平板部３０ｃに対しビス４６により打ち付けられている。一般に床根太２６は剛性を確保するために板厚が比較的厚いため床根太２６に対してビスを打ち付けることができないが、本実施形態における連結材３０は前述したように板厚が床根太２６の板厚よりも小さく形成されているためビス４６による打ち付けが可能となっている。
【００４５】
しかしながら、その反面、連結材３０の板厚が小さい故に天井材４４をビス４６により連結材３０に打ち付ける際には、連結材３０の打ち付けられる側の部位（詳細には、上側水平板部３０ａを除く各部３０ｂ〜３０ｅ）が上方に撓んで打ち付け作業が困難となることが想定される。その点、本実施形態では、連結材３０の当該部位が所定の上方位置まで撓むと連結材３０の規制板部３０ｅが床根太２６の下面に当接され、当該部位の上方への撓みが規制されるようになっている。すなわち、本実施形態では、連結材３０の板厚を小さくしたことに伴い連結材３０に対する天井材４４の打ち付け作業が困難となることがないよう配慮されている。なお、下側水平板部３０ｃと規制板部３０ｅとの間は上下方向に延びる垂直板部３０ｄで繋がれているため、規制板部３０ｅが床根太２６の下面に当接された状態で天井材４４を連結材３０にビス４６により打ち付ける場合には、その打ち付けに起因して連結材３０に作用する押し力が垂直板部３０ｄの高さ方向に沿って作用することとなる。したがって、この場合、垂直板部３０ｄが下側水平板部３０ｃ又は規制板部３０ｅに対して屈曲することはない。
【００４６】
以上、詳述した本実施形態の構成によれば、以下の優れた効果が得られる。
【００４７】
連結材３０は、床根太２６の下方において床根太２６と直交する向きで複数並設されており、各連結材３０はそれぞれ各床根太２６と連結されている。これにより、各床根太２６の転倒防止及び振れ防止を図ることができ、連結材３０を転び止めとして機能させることができる。また、このように長尺状の連結材３０により各床根太２６と連結させる転び止め構造としたため、転び止めの点数削減を図ることができるとともに施工時における作業負荷の軽減を図ることができる。
【００４８】
連結材３０には一階部分１１の天井材４４が取り付けられるため、連結材３０を転び止めとしてだけではなく天井下地材としても機能させることができる。これにより、野縁等の天井下地材を別に設ける必要がなくなるため、部品点数の削減とともに施工時における作業負荷の軽減を図ることができる。
【００４９】
床根太２６は、剛性確保のために板厚の厚いもので形成するのが一般的であるが、この場合、天井材４４をビス等により床根太２６に直接打ち付けることができない。また、床根太２６に天井材４４をビス等により直接打ち付けるために床根太２６の板厚を薄くすれば、床根太２６の剛性確保が難しくなる。その点、本実施形態によれば、連結材３０が床根太２６よりも肉薄の鋼板により形成されているためビス４６により連結材３０を打ち抜くことが可能となっている。したがって、天井材４４を連結材３０に対してビス４６により直接打ち付けることができる。これにより、床根太２６の剛性を確保しつつ天井材４４の取り付け施工の容易化を図ることができる。
【００５０】
天井材４４と連結材３０との間には緩衝材４３が介在されているため、連結材３０から天井材４４への衝撃の伝達を抑制することができる。これにより、二階部分１２において居住者の歩行等により発生した衝撃が床パネル２０及び連結材３０を介して一階部分１１における天井材４４へ伝達されるのを抑制することができる。また、かかる効果は、床根太２６と連結材３０との間に緩衝材４３を介在させた場合にも同様に得られるが、この場合、床根太２６と連結材３０との連結強度が低下して連結材３０の転び止めとしての機能が低下するおそれがある。その点、本発明のように連結材３０と天井材４４との間に緩衝材４３を介在させる構成とすれば、連結材３０の転び止めとしての機能を低下させることなく本効果が得られる。
【００５１】
連結材３０は傾斜板部３０ｂを有しているため、床根太２６から上側水平板部３０ａに対して衝撃が加えられた場合には傾斜板部３０ｂが変形することによりその衝撃を吸収することが可能となっている。つまり、連結材３０において傾斜板部３０ｂをダンパとして機能させることができる。そのため、床根太２６から天井材４４への衝撃の伝達を連結材３０により抑制することができる。したがって、二階部分１２において居住者の歩行等により発生した衝撃が床パネル２０、床根太２６及び連結材３０を介して一階部分１１における天井材４４へ伝達されるのを抑制することができる。
【００５２】
各連結材３０は、その長手方向両端部が頭つなぎ３５の内側面に当接されているため長手方向への移動が規制されている。したがって、連結材３０に連結されている各床根太２６の転倒及び振れをより一層防止する効果が期待できる。
【００５３】
階間部分１７を通る配線Ｓを床根太２６及び連結材３０に形成された収納溝２９，３９に通すこともできる。
【００５４】
本発明は上記実施形態に限らず、例えば次のように実施されてもよい。
【００５５】
（１）上記実施形態では、天井材４４と連結材３０との間に緩衝材４３を介在させたが、緩衝材４３を介在させない構成としてもよい。
【００５６】
（２）上記実施形態では、連結材３０が傾斜板部３０ｂを備える構成としたが、連結材３０が傾斜板部３０ｂを備えない構成としてもよい。
【００５７】
（３）上記実施形態では、連結材３０を床根太２６の厚みよりも小さい厚みで形成したが、連結材３０を床根太２６の厚みと同等かそれよりも大きい厚みで形成してもよい。
【００５８】
（４）上記実施形態では、階間部分１７を通る配線Ｓを床根太２６及び連結材３０の収納溝２９，３９に通したが、階間部分１７には一般に配線だけではなく配管も数多く配設されている。したがって、収納溝２９，３９に水道管等の配管を配設してもよい。
【００５９】
（５）上記実施形態では、床枠組２１と床下地材２２とを備えて床パネル２０を構成しユニット化したが、さらに連結材３０を含めて床パネル２０を構成しユニット化してもよい。そうすれば、連結材３０を含めてユニット工場で製造することができるので施工時における作業負担をより一層軽減させることが期待できる。また、連結材３０を含めてユニット化された床パネル２０にあらかじめ天井材４４をユニット工場にて取り付けておくようにしてもよい。そうすれば、施工時における作業負担をさらに軽減させることが期待できる。
【００６０】
（６）上記実施形態では、連結材３０の長手方向両端部を頭つなぎ３５の側面に当接させる構成としたが、連結材３０の長手方向両端部を頭つなぎ３５と離間させる構成としてもよい。
【００６１】
（７）上記実施形態では、床枠組２１の外周枠（側根太２４及び端根太２５）を木材により構成したが、外周枠を金属材により構成してもよい。
【００６２】
（８）上記実施形態では、連結材３０を床根太２６に対してボルト４２及びウェルドナット４１の締結により連結したが、連結材３０を床根太２６に対して溶接等その他の連結手段により連結してもよい。
【００６３】
（９）上記実施形態では、床枠組２１と床下地材２２とを備えて床パネル２０を構成しユニット化したが、床枠組２１のうち外周枠（側根太２４及び端根太２５）を含まないでユニット化する構成としてもよい。
【００６４】
（１０）上記実施形態では、連結材３０において上側水平板部３０ａと下側水平板部３０ｃとの間に傾斜板部３０ｂを設けたが、各水平板部３０ａ，３０ｃの間に湾曲形成された湾曲部を設けてもよい。この場合、床根太２６から連結材３０に対して衝撃が伝えられた場合、連結材３０は湾曲部が上下方向に伸び縮みするように変形することでその衝撃を吸収することができる。したがって、上記実施形態と同様、二階部分１２において居住者の歩行等により発生した衝撃が連結材３０等を介して一階部分１１の天井材４４へ伝達されるのを抑制することができる。
【図面の簡単な説明】
【００６５】
【図１】建物における階間部分周辺の構成を示す縦断面図。
【図２】床パネルの構成を示す斜視図。
【図３】床根太と連結材との連結構成を示す分解斜視図。
【図４】連結材の構成を示す縦断面図。
【図５】配線まとめを示す縦断面図であり、（ａ）が床根太による配線まとめを示す図、（ｂ）が連結材による配線まとめを示す図。
【符号の説明】
【００６６】
１０…建物、１１…下階部としての一階部分、１２…上階部としての二階部分、１７…階間部分、２０…床パネル、２１…床枠組、２２…床面材としての床下地材、２４…外周枠としての側根太、２５…外周枠としての端根太、２６…床根太、３０…連結材、３０ａ…上板部としての上側水平板部、３０ｂ…緩衝部及び中間板部としての傾斜板部、３０ｃ…下板部としての下側水平板部、４３…緩衝材、４４…天井面材としての天井材。
【図１】
2010065418.tif 000003
【図２】
2010065418.tif 000004
【図３】
2010065418.tif 000005
【図４】
2010065418.tif 000006
【図５】
2010065418.tif 000007